(57)【要約】【課題】  コンテナやトラック荷台の上面開口部にコンテナ等の幅方向に架け渡されるシートを張設し、シートの左右端縁を先端にゴム紐等の係止具を設けた固定ロープでコンテナやトラック荷台の側面のフックに係止するコンテナ等の開閉屋根において、シートを折り畳むためフックから係止具を外した場合でも、シートが風等でまくれ上がることを防止できる。【解決手段】  コンテナ１やトラック荷台の上面開口部にコンテナ等の幅方向に架け渡される防水性シート２を張設し、防水性シート２の左右端縁２ａを先端に係止具１９を設けた固定ロープ１８でコンテナ１等の側面のフック２０に係止するコンテナ等の開閉屋根において、前記固定ロープ１８は防水性シート２の長さ方向に適宜間隔で配列され、その途中をコンテナ１等の側面に張設した索条２２にスライド可能に係合させた。【選択図】        図１
2006069455.tif 000002
【特許請求の範囲】
【請求項１】
コンテナやトラック荷台の上面開口部にこれらコンテナ等の幅方向に架け渡されるシートを張設し、シートの左右端縁を先端に係止具を設けた固定ロープでコンテナ等の側面のフックに係止するコンテナ等の開閉屋根において、前記固定ロープはシートの長さ方向に適宜間隔で配列され、その途中をコンテナ等の側面に張設した索条にスライド可能に係合させたことを特徴とするコンテナ等の開閉屋根。
【請求項２】
索条が係合する固定ロープ途中は、上下に長い輪部である請求項１記載のコンテナ等の開閉屋根。
【請求項３】
索条は端部結合を上下動可能として、張設位置が上下段に変化する請求項１記載のコンテナ等の開閉屋根。
【発明の詳細な説明】
【技術分野】
【０００１】
本発明は、屋根として上面開口部に防水性シートを張設するコンテナやトラック荷台の開閉屋根に関するものである。
【背景技術】
【０００２】
近年、輸送費や包装費の低減、輸送期間の短縮、荷痛みの防止等の点からコンテナ輸送が増加している。しかし、コンテナは箱型で、ほとんどのコンテナは、出入口が後端１ケ所であるため、クレーン等が使用できない。
【０００３】
そこで、コンテナ箱体の上面を開口面として、防水性シートで閉塞するシート屋根タイプのコンテナも存在し、防水性シートを外して荷役を上面開口からすることで、クレーン等揚重装置により効率的に行うことができる。
【０００４】
コンテナにおけるこのような防水性シートの自動的な開閉に関しては特許文献はないが、トラック等の荷物運搬車両には、下記特許文献１の従来例等にも示されているように、荷台囲壁の両側に回転自在なクロスバーを用いた通称アコーデオン式と言われる枠組みを移動可能に立設し、これにシートを被せて結合し、開閉自在な荷台カバー装置を備えたものがある。
【特許文献１】特開平１１−１５１９３９号公報
【０００５】
しかし、特許文献１のような回転自在なクロスバーを用いた通称アコーデオン式と言われる枠組みを移動可能に立設し、これにシートを被せて結合し、開閉自在な荷台カバー装置を設ける場合には、折り畳みの際に枠の相互間に畳まれるシートが入り込み、これが垂れ下がると内部の積荷に触れたり、他にからまったりするおそれがあり、ひいては開閉動作の支障やシートの破損にもなりかねない。
【０００６】
そこで出願人は先に特願２００３−６４６４５号として、コンテナやトラック荷台の上面開口部に防水性シートを張設するコンテナ等の開閉屋根において、防水性シートを自動的に折り畳みおよび広げることにより、屋根の自動開閉が可能であるとともに、折り畳みの際にシートを下方に垂れ下げることなく、効率的に畳み込むことができるコンテナ等の開閉屋根を提案した。
【０００７】
これは図８に示すように、コンテナやトラック荷台の上面開口部にシートを張設するコンテナ等の開閉屋根において、防水性シート２はコンテナ１等の幅方向に架け渡され、かつコンテナ等の前後方向に移動可能としたコ字形の支持フレーム７で適宜間隔で支持して幌タイプとし、支持フレーム７はその支柱部７ａ相互をリンクアーム９ａ，９ｂ同士の結合によるリンク機構９で連結して折り畳み構造とし、前記リンクアームの軸着部１０またはそれからのアーム延設部１１を該リンク機構の折り畳みに応じて支持フレーム７よりも上方に突設可能とし、コンテナ１の幅方向でこの突設させた上端間に連結部材１２を渡した。
【０００８】
前記支持フレーム７はコンテナ１の前後方向に適宜間隔で並べ、梁部７ｂで防水性シート２を支持して幌タイプとする。この場合、防水性シート２は各梁部７ｂに止めておく。
【０００９】
並列する支持フレーム７の一番端（折り畳み方向の一番手前側）のものは、折り畳みおよび広げの駆動部として押角１３と一体に形成し、この押角１３に牽引用の無端ワイヤー１４の途中を結合する。無端ワイヤー１４は駆動ローラ１５およびガイドローラ１６に巻回して張設した。
【００１０】
次に、使用法について説明する。駆動ローラ１５を手回し、または、油圧もしくは電動モータ１７で駆動すれば、無端ワイヤー１４が牽引され、それに伴い押角１３も移動する。
【００１１】
コンテナ１の屋根が閉じている状態では、リンク機構９は広がり、支持フレーム７は相互に間隔を開けており、アーム延設部１１の先端も支持フレーム７より低く（同じ高さでもよい）、連結部材１２は防水性シート２を押し上げてはいない。この状態では防水性シート２は張られている。
【００１２】
屋根を開くには、押角１３を後方から前方に移動すると、その前に並ぶ支持フレーム７を押していくことになり、リンク機構９が閉じられる。それと同時にアーム延設部１１が回転して立ち上がり、連結部材１２が防水性シート２を山形に押し上げ、支持フレーム７相互が近接することで、防水性シート２は支持フレーム７より下方に垂れ下がることなく、山折りに折り畳まれる。
【００１３】
一方、折り畳んだ防水性シート２を広げて屋根を閉じるには、逆の動作として駆動ローラ１５を逆転させ、無端ワイヤー１４を逆方向に牽引して押角１３を元の位置に戻すようにすればよい。
【００１４】
なお、前記実施形態はコンテナ１の開閉屋根として説明したが、トラック荷台の開閉屋根についても同様に適用できる。さらに、コンテナ、トラック荷台以外の上部開口部を有する輸送用または保存用の大型の収容容器についても同様に適用できる。
【発明の開示】
【発明が解決しようとする課題】
【００１５】
このように前記防水性シート２はコンテナ１がトレーラ等によって輸送される際、コンテナ１の内部への風の巻き込みを防ぐために、コンテナ１の側面まで大きく垂れ下がるようになっている。
【００１６】
そして防水性シート２を固定するために、図６、図７に示すように、防水性シート２の長さ方向の左右端縁２ａに固定ロープ１８を適宜間隔で配列し、この固定ロープ１８の先端に設けたゴム紐等の係止具１９をコンテナ１やトラック荷台の側面のフック２０に係止している。
【００１７】
しかし、前記のように防水性シート２を支持フレーム７より山折りに折り畳むようにして屋根を開くには、ゴム紐等の係止具１９をフック２０から外していく必要がある。
【００１８】
この状態では、強風が吹いた場合、前記防水性シート２のコンテナ１の側面まで大きく垂れ下がる垂れ下がり部が屋根上部へまくれ上がり、係止具１９が上方に移動し、地上から届かなくなる。
【００１９】
そのため、係止具１９が上方に移動し、これを再度フック２０に係止するには、脚立などの台を用意するか、屋根に上がらなくてはならず、作業性が極めて悪かった。
【００２０】
本発明の目的は前記従来例の不都合を解消し、コンテナやトラック荷台の上面開口部にコンテナ等の幅方向に架け渡されるシートを張設し、シートの左右端縁を先端に係止具を設けた固定ロープでコンテナやトラック荷台の側面のフックに係止するコンテナ等の開閉屋根において、シートを折り畳むためフックから係止具を外した場合でも、シートが風等でまくれ上がることを防止できるコンテナ等の開閉屋根を提供することにある。
【課題を解決するための手段】
【００２１】
本発明は前記目的を達成するため、第１に、コンテナやトラック荷台の上面開口部にこれらコンテナ等の幅方向に架け渡されるシートを張設し、シートの左右端縁を先端に係止具を設けた固定ロープでコンテナ等の側面のフックに係止するコンテナ等の開閉屋根において、前記固定ロープはシートの長さ方向に適宜間隔で配列され、その途中をコンテナ等の側面に張設した索条にスライド可能に係合させたこと、第２に、索条が係合する固定ロープ途中は、上下に長い輪部であること、第３に、索条は端部結合を上下動可能として、張設位置が上下段に変化することを要旨とするものである。
【００２２】
請求項１記載の本発明によれば、シートの左右端縁を係止する固定ロープはその途中をコンテナやトラック荷台の側面に張設した索条にスライド可能に係合させたことにより、シートを畳むために、先端にゴム紐等の係止具をコンテナやトラック荷台の側面のフックから外した場合でも、この索条で係止され、強風が吹いた場合でもシート垂れ下がり部が屋根上部へまくれ上がることを防止できる。
【００２３】
請求項２記載の本発明によれば、前記作用に加えて、索条が係合する固定ロープ途中は、上下に長い輪部であることにより、この輪部の長さ分だけシートを畳むため許容範囲を確保できる。
【００２４】
請求項３記載の本発明によれば、前記作用に加えて、索条は端部結合を上下動可能として、張設位置が上下段に変化することで、この索条の上下分だけ、シートを畳むため許容範囲を確保できる。
【発明の効果】
【００２５】
以上述べたように本発明によれば、コンテナやトラック荷台の上面開口部にコンテナ等の幅方向に架け渡されるシートを張設し、シートの左右端縁を先端にゴム紐等の係止具を設けた固定ロープでコンテナやトラック荷台の側面のフックに係止するコンテナ等の開閉屋根において、シートを折り畳むためフックから係止具を外した場合でも、シートが風等でまくれ上がることを防止できるものである。
【発明を実施するための最良の形態】
【００２６】
以下、図面について本発明の実施の形態を詳細に説明する。図１は本発明のコンテナ等の開閉屋根の第１実施形態を示す側面図で、コンテナ１にその開閉屋根として防水性シート２を設ける場合である。
【００２７】
防水性シート２はこのコンテナ１の上面の開口面６を覆い被すもので、その長さ方向の左右端縁２ａをコンテナ１の側部にまで垂れ下げる。
【００２８】
従来と同じく防水性シート２を固定するために、防水性シート２の長さ方向の左右端縁２ａに固定ロープ１８を適宜間隔で配列し、この固定ロープ１８の先端に設けたゴム紐等の係止具１９をコンテナ１の側面のフック２０に係止している。係止具１９は弾性もしくは伸縮性のあるもの、または長さ調整が簡単に行えるものが望ましく、ゴム紐のほかにゴムバンド、金属製バネ、その他種々のものが考えられる。
【００２９】
また、コンテナ１は自動的に折り畳みおよび広げることにより、屋根の自動開閉が可能であるものとして下記の構成を取る。
【００３０】
防水性シート２はコンテナ１等の幅方向に架け渡され、かつコンテナ等の前後方向に移動可能としたコ字形の支持フレーム７で適宜間隔で支持して幌タイプとし、支持フレーム７はその支柱部７ａ相互をリンクアーム９ａ，９ｂ同士の結合によるリンク機構９で連結して折り畳み構造とし、前記リンクアームの軸着部１０を該リンク機構の折り畳みに応じて支持フレーム７よりも上方に突設可能とし、コンテナ１の幅方向で軸着部１０間に連結部材１２を渡した。
【００３１】
前記支持フレーム７はコンテナ１の前後方向に適宜間隔で並べ、梁部７ｂで防水性シート２を支持して幌タイプとする。この場合、防水性シート２は各梁部７ｂに紐等で止めておく。
【００３２】
並列する支持フレーム７の一番端（折り畳み方向の一番手前側）のものは、折り畳みおよび広げの駆動部として押角１３と一体に形成し、この押角１３に牽引用の無端ワイヤー１４の途中を結合する。無端ワイヤー１４は駆動ローラ（図示せず）およびガイドローラ１６に巻回して張設した。
【００３３】
前記支持フレーム７は支柱部７ａの内側にコンテナ１のサイドトップレールに当接するナイロン樹脂製の当て板によるすべり部材（図示せず）を配設してサイドトップレールをガイドレールとしてコンテナ１の前後方向に移動可能とした。
【００３４】
以上は出願人が先に出願したものと同じであるが、本発明は前記固定ロープ１８の途中、すなわち、先端に設けた係止具１９とロープ端部の輪１８ａとの間に金属製輪体による上下に長い輪部２１を設ける。
【００３５】
そして、コンテナ１の側面で、フック２０の上方位置に金属製ワイヤー等による索条２２を水平に張設し、この索条２２に前記上下に長い輪部２１をスライド可能に係合させた。なお、索条２２の位置は係止具１９がフック２０に係止している時は上下に長い輪部２１の上端近くにあり、防水性シート２を畳む際に左右端縁２ａが持ち上げられた時には上下に長い輪部２１の下端近くにあるように設定する。
【００３６】
次に動作について説明する。駆動ローラ１５を手回し、油圧もしくは電動モータで駆動すれば、無端ワイヤー１４が牽引され、それに伴い押角１３も移動する。
【００３７】
コンテナ１の屋根が閉じている状態では、リンク機構９は広がり、支持フレーム７は相互に間隔を開けており、アーム延設部１１の先端も支持フレーム７より低く（同じ高さでもよい）、連結部材１２は防水性シート２を押し上げてはいない。この状態では防水性シート２は張られている。
【００３８】
屋根を開くには、押角１３を後方から前方に移動すると、その前に並ぶ支持フレーム７を押していくことになり、リンク機構９が閉じられる。それと同時に軸着部１０が回転して立ち上がり、連結部材１２が防水性シート２を山形に押し上げ、支持フレーム７相互が近接することで、防水性シート２は図１に示すように、支持フレーム７より下方に垂れ下がることなく、山折りに折り畳まれる。
【００３９】
一方、折り畳んだ防水性シート２を広げて屋根を閉じるには、逆の動作として駆動ローラ１５を逆転させ、無端ワイヤー１４を逆方向に牽引して押角１３を元の位置に戻すようにすればよい。
【００４０】
このように防水性シート２を畳む際には固定ロープ１８は係止具１９をフック２０から外すが、その途中の上下に長い輪部２１は索条２２に沿って移動し、防水性シート２の左右端縁２ａが強風等であおられても索条２２から外れることはなく、係止具１９が必要以上に上に行ってしまうことはない。
【００４１】
また、防水性シート２を折り畳むので左右端縁２ａを持ち上げられても索条２２が上下に長い輪部２１内を上下に移動するので支障はない。
【００４２】
図２は本発明の第２実施形態を示すもので、索条２２の両端部の結合部はコンテナ１の側面に対して直交方向に回動する回転アーム２３であり、この回転アーム２３を下向きにした場合は索条２２は下段にあり、上向きにした場合は上段にあるように張設位置が上下段に変化するものとした。
【００４３】
また、前記固定ロープ１８の途中、すなわち、先端に設けた係止具１９とロープ端部の輪１８ａとの間に金属製輪体による小さな輪部２４またはフックを設け、これを索条２２にスライド可能に係合させた。
【００４４】
前記回転アーム２３の位置および長さは、索条２２が下段にある場合は係止具１９をフック２０に掛けることができ、上段にある場合は防水性シート２を折り畳む時に左右端縁２ａを持ち上げられても支障がないことをもって選定する。
【００４５】
動作は前記代実施形態とほぼ同じであるが、防水性シート２を畳む際には固定ロープ１８は係止具１９をフック２０から外すが、その時は回転アーム２３を上向きに回転させ、張設位置を上段にする。
【００４６】
これにより、防水性シート２を折り畳むので左右端縁２ａを持ち上げられても索条２２が上下に長い輪部２１内を上下に移動するので支障はない。
【００４７】
なお、前記実施形態はコンテナ１の開閉屋根として説明したが、トラック荷台の開閉屋根についても、本発明は同様に適用できる。さらに、コンテナ、トラック荷台以外の上部開口部を有する輸送用または保存用の大型の収容容器についても同様に適用できる。
【図面の簡単な説明】
【００４８】
【図１】本発明のコンテナ等の開閉屋根の第１実施形態を示す側面図である。
【図２】本発明のコンテナ等の開閉屋根の第２実施形態を示す側面図である。
【図３】本発明のコンテナ等の開閉屋根の第２実施形態を示す縦断正面図である。
【図４】本発明のコンテナ等の開閉屋根の第２実施形態の回転アーム部分の正面図である。
【図５】本発明のコンテナ等の開閉屋根の第２実施形態の回転アーム部分の側面図である。
【図６】防水性シートのまくれ上がりの従来例を示す側面図である。
【図７】防水性シートのまくれ上がりの従来例を示す説明図である。
【図８】従来のコンテナ等の開閉屋根の側面図である。
【符号の説明】
【００４９】
１…コンテナ                  ２…防水性シート
２ａ…左右端縁                ６…開口面
７…支持フレーム              ７ａ…支柱部
７ｂ…梁部                    ９…リンク機構
９ａ，９ｂ…リンクアーム      １０…軸着部
１１…アーム延設部            １２…連結部材
１３…押角                    １４…無端ワイヤー
１５…駆動ローラ              １６…ガイドローラ
１７…モータ                  １８…固定ロープ
１８ａ…ロープ端部の輪        １９…係止具
２０…フック                  ２１…上下に長い輪部
２２…索条                    ２３…回転アーム
２４…小さな輪部
【図１】
2006069455.tif 000003
【図２】
2006069455.tif 000004
【図３】
2006069455.tif 000005
【図４】
2006069455.tif 000006
【図５】
2006069455.tif 000007
【図６】
2006069455.tif 000008
【図７】
2006069455.tif 000009
【図８】
2006069455.tif 000010